(57)【要約】【課題】  施工時の右仕様，左仕様の共通化が図れ、製品品番を半減させることができ、部材手配時のミスを防ぐことができるボウル一体型カウンターを提供する。【解決手段】  ボウル部２が一体成形され、前縁部１ｃと後縁部１ｂは立上片の存在しないストレート状に形成され、前後方向中心部の前記ボウル部２内に排水用孔５が形成されてなるボウル一体型カウンターであって、該カウンター１の前後方向中心部の前記ボウル部２に近接した位置に水栓取付用孔４が形成されているとともに、前縁部１ｃ，後縁部１ｂどちらも壁取り付け側として選択可能に構成されている。【選択図】  図１
2005296506.tif 000002
【特許請求の範囲】
【請求項１】
ボウル部が一体成形され、前縁部と後縁部は立上片の存在しないストレート状に形成され、前後方向中心部の前記ボウル部内に排水用孔が形成されてなるボウル一体型カウンターであって、該カウンターの前後方向中心部の前記ボウル部に近接した位置に水栓取付用孔が形成されているとともに、前縁部，後縁部どちらも壁取り付け側として選択可能に構成されていることを特徴とするボウル一体型カウンター。
【請求項２】
前記水栓取付用孔は、カウンターの上面より一段下げた面に形成されていることを特徴とする請求項１に記載のボウル一体型カウンター。
【発明の詳細な説明】
【技術分野】
【０００１】
本発明は、ボウル部が一体成形されたボウル一体型カウンターに関するものである。
【背景技術】
【０００２】
従来、図４に示すように、手洗ボウル一体型カウンター５１には、底側に排水口５３を有する手洗ボウル５２が一体成形されており、またカウンターの後縁部には、立ち上げて立上片５１ａが一体形成されており、またカウンターの前縁部には、垂下状に前垂部５１ｂが形成されている。
このような手洗ボウル一体型カウンター５１では、施工時の右仕様，左仕様の共通化ができず、右仕様用と左仕様用の２品番を用意しておく必要があり、在庫が２品番となってしまうという問題点があった。
このような問題点を解決して、左右共通化ができるように構成したキッチンユニットのカウンターとして、例えば特許文献１に開示されているような構造のものが存在する。
【特許文献１】特開平９−３６９号公報
【発明の開示】
【発明が解決しようとする課題】
【０００３】
しかし、上記した特許文献１に開示されているようなカウンターの構造では、立上片が存在するものであり、また、水栓取り付けについての考慮がなされていないため、トイレ内等に施工するカウンターに適用しても、完全に左右仕様の共通化を図ることはできないものであった。
【課題を解決するための手段】
【０００４】
本発明は上記従来の問題点に鑑み案出したものであって、左右共通化を図ることができ、製品品番を半減して在庫を半減させることができ、部材手配時のミスを防ぐことができるボウル一体型カウンターを提供するものであり、その請求項１は、ボウル部が一体成形され、前縁部と後縁部は立上片の存在しないストレート状に形成され、前後方向中心部の前記ボウル部内に排水用孔が形成されてなるボウル一体型カウンターであって、該カウンターの前後方向中心部の前記ボウル部に近接した位置に水栓取付用孔が形成されているとともに、前縁部，後縁部どちらも壁取り付け側として選択可能に構成されていることである。
【０００５】
また請求項２は、前記水栓取付用孔は、カウンターの上面より一段下げた面に形成されていることである。
【発明の効果】
【０００６】
本発明のボウル一体型カウンターは、前縁部と後縁部は立上片の存在しないストレート状に形成され、前後方向中心部には、排水用孔と水栓取付用孔が形成されて、前縁部，後縁部どちらも壁取り付け側として選択可能に構成されていることにより、立上片が存在しないためにカウンターのデザインがシンプルとなり、水栓と排水金具をカウンターの前後方向中心部に設けることができ、左右共通化を図ることができて、カウンター施工時の右仕様，左仕様の何れにも対応することができ、また、製品品番が１種類となり、在庫を半減させることができ、現場への部材の手配時のミスをなくすことができるものとなる。
【０００７】
また、水栓取付用孔は、カウンターの上面より一段下げた面に形成されていることにより、立上片が存在しなくても水栓からの水を良好に水切りして、壁側への水跳ねを防ぐことができるものとなる。
【実施例】
【０００８】
以下、本発明の実施例を図面に基づいて説明する。
図１は、ボウル一体型カウンターをキャビネット上に設置した状態の斜視構成図であり、図２は、ボウル一体型カウンターの平面構成図である。
【０００９】
ボウル一体型カウンター１は、後縁部１ｂ及び前縁部１ｃはストレート状に形成されて、従来のような立上片や前垂れが存在しないものとなっており、カウンターの図示右側位置には、上面１ａから下方側へ、例えば約１５cm凹ませてボウル部２が一体形成されており、このボウル部２の底面には排水用孔５が形成され、ボウル部２内の左端側壁面には、オーバーフロー孔６が形成されている。
なお、このオーバーフロー孔６は、ボウル部２が洗面用の場合にのみ形成されるものであり、手洗い用の場合には、このオーバーフロー孔６は形成されないものである。
【００１０】
また、オーバーフロー孔６と反対側のボウル部２の右側には、カウンターの上面１ａよりも一段低く、例えば４〜５cm程度低い位置に下段平面３が水平状に一体形成されており、この下段平面３の前後方向両端縁とカウンターの上面１ａ間には、垂直に立ち上がる立上水切面３ａ，３ａが形成されている。
【００１１】
なお、図２に示すように、この下段平面３の前後方向中心線Ｃ上には、水栓８を取り付けるための水栓取付用孔４が形成されており、この前後方向中心線Ｃ上に、前記排水用孔５及びオーバーフロー孔６が形成されたものとなっている。
【００１２】
このような構成のボウル一体型カウンター１においては、ボウル部２が手洗い用のもの、または洗面用のもの、何れの場合においても、製品品番は１種類で良く、在庫も半減するものであり、現場への手配時には１種類のものを現場に搬送すれば良く、手配ミスを防ぐことができ、例えば図３に示すように、現場のトイレ内の右側壁面Ｗａに設置することも、また左側壁面Ｗｂに設置することもでき、施工時に左仕様、または右仕様の何れにも対応することができるものとなる。
【００１３】
なお、図３では、右側壁面Ｗａ、または左側壁面Ｗｂに設置する場合を例示しているが、一方側の壁面に設置する場合にも、水平面内で１８０度回転させることにより、ボウル部２を左側でも右側でも何れの仕様にも対応することができるものとなる。
【００１４】
なお、本例のボウル一体型カウンター１においては、後縁部１ｂ及び前縁部１ｃはストレート状に形成されており、立上片が存在しないために、すっきりとした状態でトイレ内等に設置することができ、また、水栓取付用孔４には水栓８を取り付けて、左仕様と右仕様では、水栓８を１８０度回転させるだけで、何れの場合にも対応することができるものとなる。
また、水栓８から吐水する際に、下段平面３の前後方向両端側には、略垂直に立ち上がる立上水切面３ａ，３ａが形成されているため、この立上水切面３ａで水跳ねを防ぐことができ、壁面を濡らすことがなく良好な使用勝手が得られるものとなる。
【図面の簡単な説明】
【００１５】
【図１】ボウル一体型カウンターをキャビネット上に設置した状態の斜視構成図である。
【図２】図１のボウル一体型カウンターの平面構成図である。
【図３】例えばトイレ内の左右の壁面の何れか側にも設置できる作用説明の平面構成図である。
【図４】従来の手洗ボウル一体型カウンターの斜視構成図である。
【符号の説明】
【００１６】
１  ボウル一体型カウンター
１ａ  上面
１ｂ  後縁部
１ｃ  前縁部
２  ボウル部
３  下段平面
３ａ  立上水切面
４  水栓取付用孔
５  排水用孔
６  オーバーフロー孔
７  キャビネット
Ｃ  前後方向中心線
Ｗａ，Ｗｂ  壁面
【図１】
2005296506.tif 000003
【図２】
2005296506.tif 000004
【図３】
2005296506.tif 000005
【図４】
2005296506.tif 000006